(57)【要約】      （修正有）【課題】ヘッド側において対象とするノズル群の種類が増加しても、伝送線の数の増加を抑制できる印刷装置の提供。【解決手段】コントローラー６０は、第１の画素データと第２の画素データとで共用する少なくとも１つの伝送線Ｌ３を介して、第１の画素データ及び第２の画素データのいずれかをヘッド制御部ＨＣ＿Ｙｄ及びヘッド制御部ＨＣ＿Ｋｐに送信すると共に、ヘッド制御部ＨＣ＿Ｙｄ及びヘッド制御部ＨＣ＿Ｋｐに対して、受信する画素データが有効であるか無効であるかを示すモード信号ＭＤを送信する。【選択図】図８
2013154572.tif 000002
【特許請求の範囲】
【請求項１】
複数色のインクを吐出可能であって、前記インクの色毎にノズル群を有するヘッドと、
前記複数色のインクのそれぞれに対応する画素データに基づいて、前記ノズル群から前記インクを吐出させる複数のヘッド制御部と、
前記画素データを複数の伝送線を介して前記複数のヘッド制御部のそれぞれに送信するコントローラーと、を有し、
前記コントローラーは、
第１の前記画素データと当該第１の画素データが対応する前記インクの色とは異なる色の前記インクに対応する第２の前記画素データとで共用する少なくとも１つの前記伝送線を介して、前記第１の画素データ及び前記第２の画素データのいずれかを第１の前記ヘッド制御部及び第２の前記ヘッド制御部に送信すると共に、
前記第１のヘッド制御部及び前記第２のヘッド制御部に対して、受信する前記画素データが有効であるか無効であるかを示すモード信号を送信することを特徴とする印刷装置。
【請求項２】
前記第１のヘッド制御部及び前記第２のヘッド制御部は、受信した前記モード信号が有効を示す場合に、受信した前記画素データに基づいて、前記ノズル群から前記インクを吐出させることを特徴とする請求項１に記載の印刷装置。
【請求項３】
前記第１のヘッド制御部及び前記第２のヘッド制御部は、受信した前記モード信号が無効を示す場合に、前記ノズル群における前記インクを吐出しない程度に前記インクを微振動させることを特徴とする請求項１又は２に記載の印刷装置。
【請求項４】
前記第１のヘッド制御部に対応する前記ノズル群と、前記第２のヘッド制御部に対応する前記ノズル群とは、設定された印刷モードにおいて、少なくともいずれかが吐出の対象としない前記ノズル群であることを特徴とする請求項１から３のいずれか一項に記載の印刷装置。
【請求項５】
前記第１のヘッド制御部に対応する前記ノズル群は、前記印刷モードがモノクロ印刷モードの場合に対象とするノズル群であり、
前記第２のヘッド制御部に対応する前記ノズル群は、前記印刷モードがカラー印刷モードの場合に対象とするノズル群であることを特徴とする請求項４に記載の印刷装置。
【請求項６】
複数色のインクを吐出可能であって、前記インクの色毎にノズル群を有するヘッドと、
前記複数色のインクのそれぞれに対応する画素データに基づいて、前記ノズル群から前記インクを吐出させる複数のヘッド制御部と、
前記画素データを複数の伝送線を介して前記複数のヘッド制御部のそれぞれに送信するコントローラーと、を有する印刷装置の制御方法であって、
前記コントローラーは、
第１の前記画素データと当該第１の画素データが対応する前記インクの色とは異なる色の前記インクに対応する第２の前記画素データとで共用する少なくとも１つの前記伝送線を介して、前記第１の画素データ及び前記第２の画素データのいずれかを第１の前記ヘッド制御部及び第２の前記ヘッド制御部に送信すると共に、
前記第１のヘッド制御部及び前記第２のヘッド制御部に対して、受信する前記画素データが有効であるか無効であるかを示すモード信号を送信することを特徴とする印刷装置の制御方法。
【発明の詳細な説明】
【技術分野】
【０００１】
本発明は、印刷装置及び印刷装置の制御方法に関する。
【背景技術】
【０００２】
印刷装置の一例として、インクを吐出するインクジェットプリンターが知られている。このインクジェットプリンターには、複数のノズルと、各ノズルに対応した駆動素子（例えばピエゾ素子）とを有するヘッドが備えられている。そして、インクジェットプリンターは、これらの駆動素子を駆動させることによって対応するノズルからインクを吐出する（例えば特許文献１）。
【先行技術文献】
【特許文献】
【０００３】
【特許文献１】特開平１０−８１０１３号公報
【発明の概要】
【発明が解決しようとする課題】
【０００４】
しかしながら、特許文献１のようなインクジェットプリンターでは、複数の駆動素子の駆動をそれぞれ制御するために、装置本体側のコントローラーから画素データなどの各種信号が伝送線を介してヘッド側に送信される。ヘッド側では、インクを吐出する多数のノズルが例えばインクの色毎のノズル群として構成されている。従って、装置本体側のコントローラーは、ヘッド側の各ノズル群に対して、それぞれに対応する画素データなどを送信する必要がある。このため、例えば、ヘッド側において対象とするノズル群の種類が増加した場合、それだけ多くの数の伝送線が必要となってしまう。
【課題を解決するための手段】
【０００５】
本発明は、上述の課題の少なくとも一部を解決するためになされたものであり、以下の形態又は適用例として実現することが可能である。
【０００６】
［適用例１］複数色のインクを吐出可能であって、前記インクの色毎にノズル群を有するヘッドと、前記複数色のインクのそれぞれに対応する画素データに基づいて、前記ノズル群から前記インクを吐出させる複数のヘッド制御部と、前記画素データを複数の伝送線を介して前記複数のヘッド制御部のそれぞれに送信するコントローラーと、を有し、前記コントローラーは、第１の前記画素データと当該第１の画素データが対応する前記インクの色とは異なる色の前記インクに対応する第２の前記画素データとで共用する少なくとも１つの前記伝送線を介して、前記第１の画素データ及び前記第２の画素データのいずれかを第１の前記ヘッド制御部及び第２の前記ヘッド制御部に送信すると共に、前記第１のヘッド制御部及び前記第２のヘッド制御部に対して、受信する前記画素データが有効であるか無効であるかを示すモード信号を送信することを特徴とする印刷装置。
【０００７】
上記した印刷装置によれば、第１の画素データと第２の画素データとで共用する伝送線を介して、第１の画素データ及び第２の画素データのいずれかを第１のヘッド制御部及び第２のヘッド制御部に送信する。そして、第１のヘッド制御部及び第２のヘッド制御部のそれぞれでは、コントローラーから受信したモード信号に基づいて、有効な画素データについてはノズル群からインクを吐出させ、無効な画素データについてはノズル群からインクを吐出させないようにできる。これにより、対象とすべき画素データに基づいてインクを適正に吐出させることができると共に、必要とする伝送線の数が増えるのを抑制することができる。
【０００８】
［適用例２］前記第１のヘッド制御部及び前記第２のヘッド制御部は、受信した前記モード信号が有効を示す場合に、受信した前記画素データに基づいて、前記ノズル群から前記インクを吐出させることを特徴とする上記印刷装置。
【０００９】
上記した印刷装置によれば、受信したモード信号が有効を示す場合に、対象とすべき画素データに基づいてインクを適正に吐出させることができる。
【００１０】
［適用例３］前記第１のヘッド制御部及び前記第２のヘッド制御部は、受信した前記モード信号が無効を示す場合に、前記ノズル群における前記インクを吐出しない程度に前記インクを微振動させることを特徴とする上記印刷装置。
【００１１】
上記した印刷装置によれば、受信したモード信号が無効を示す場合に、ノズル群におけるインクを吐出しない程度に微振動させる。これにより、使用しないノズル内部でのインク固化を防止して、ノズルの目詰まりを起こしにくくすることができる。
【００１２】
［適用例４］前記第１のヘッド制御部に対応する前記ノズル群と、前記第２のヘッド制御部に対応する前記ノズル群とは、設定された印刷モードにおいて、少なくともいずれかが吐出の対象としない前記ノズル群であることを特徴とする上記印刷装置。
【００１３】
上記した印刷装置によれば、設定された印刷モードでインクを吐出するときに、第１のヘッド制御部に対応するノズル群と、第２のヘッド制御部に対応するノズル群との両方からインクを吐出してしまうのを回避することができる。これにより、第１の画素データと第２の画素データとのいずれか一方がコントローラーから送信されることになり、伝送線を問題なく共用することができる。
【００１４】
［適用例５］前記第１のヘッド制御部に対応する前記ノズル群は、前記印刷モードがモノクロ印刷モードの場合に対象とするノズル群であり、前記第２のヘッド制御部に対応する前記ノズル群は、前記印刷モードがカラー印刷モードの場合に対象とするノズル群であることを特徴とする上記印刷装置。
【００１５】
上記した印刷装置によれば、モノクロ印刷モードの場合に、モノクロ印刷モードでは使用しないノズル群からインクを吐出してしまうのを回避することができる。また、カラー印刷モードの場合に、カラー印刷モードでは使用しないノズル群からインクを吐出してしまうのを回避することができる。これにより、モノクロ印刷用の画素データとカラー印刷用の画素データとのいずれか一方がコントローラーから送信されることになり、伝送線を問題なく共用することができる。
【００１６】
［適用例６］複数色のインクを吐出可能であって、前記インクの色毎にノズル群を有するヘッドと、前記複数色のインクのそれぞれに対応する画素データに基づいて、前記ノズル群から前記インクを吐出させる複数のヘッド制御部と、前記画素データを複数の伝送線を介して前記複数のヘッド制御部のそれぞれに送信するコントローラーと、を有する印刷装置の制御方法であって、前記コントローラーは、第１の前記画素データと当該第１の画素データが対応する前記インクの色とは異なる色の前記インクに対応する第２の前記画素データとで共用する少なくとも１つの前記伝送線を介して、前記第１の画素データ及び前記第２の画素データのいずれかを第１の前記ヘッド制御部及び第２の前記ヘッド制御部に送信すると共に、前記第１のヘッド制御部及び前記第２のヘッド制御部に対して、受信する前記画素データが有効であるか無効であるかを示すモード信号を送信することを特徴とする印刷装置の制御方法。
【００１７】
上記した印刷装置の制御方法によれば、第１の画素データと第２の画素データとで共用する伝送線を介して、第１の画素データ及び第２の画素データのいずれかを第１のヘッド制御部及び第２のヘッド制御部に送信する。そして、第１のヘッド制御部及び第２のヘッド制御部のそれぞれでは、コントローラーから受信したモード信号に基づいて、有効な画素データについてはノズル群からインクを吐出させ、無効な画素データについてはノズル群からインクを吐出させないようにできる。これにより、対象とすべき画素データに基づいてインクを適正に吐出させることができると共に、必要とする伝送線の数が増えるのを抑制することができる。
【図面の簡単な説明】
【００１８】
【図１】本実施形態のプリンターの全体構成のブロック図。
【図２】プリンターの斜視図及び横断面図。
【図３】ヘッドのノズル周辺の断面図。
【図４】ヘッドの下面のノズル配列を示す図。
【図５】ヘッド制御部のブロック図。
【図６】駆動信号と各種信号の説明図。
【図７】設定信号の構成を示す説明図。
【図８】フレキシブルケーブルに配線された設定信号の伝送線の説明図。
【図９】印刷モードと使用するインク種類との対応を示す表。
【図１０】第２実施形態におけるフレキシブルケーブルに配線された設定信号の伝送線の説明図。
【図１１】第２実施形態における設定信号の説明図。
【発明を実施するための形態】
【００１９】
（第１実施形態）
以下、第１実施形態に係る印刷装置としてのインクジェットプリンター（以下、「プリンター」と称する。）について、図面を参照して説明する。
【００２０】
＜印刷装置の構成＞
図１は、本実施形態のプリンター１の全体構成のブロック図である。また、図２（Ａ）は、プリンター１の斜視図であり、図２（Ｂ）は、プリンター１の横断面図である。以下、プリンター１の基本的な構成について説明する。
【００２１】
本実施形態のプリンター１は、搬送ユニット２０、キャリッジユニット３０、ヘッドユニット４０、検出器群５０、コントローラー６０等を有する。プリンター１は、外部装置であるコンピューター１１０から印刷データを受信すると、コントローラー６０によって各ユニット（搬送ユニット２０、キャリッジユニット３０、ヘッドユニット４０）を制御する。コントローラー６０は、コンピューター１１０から受信した印刷データに基づいて、各ユニットを制御し、媒体（例えば、用紙Ｓなど）に画像を印刷する。また、プリンター１内の状況は検出器群５０によって監視されている。検出器群５０は、検出結果をコントローラー６０に出力する。コントローラー６０は、検出器群５０から出力された検出結果に基づいて、各ユニットを制御する。
【００２２】
搬送ユニット２０は、用紙Ｓを所定の方向（以下、「搬送方向」と称する。）に搬送させるためのものである。この搬送ユニット２０は、給紙ローラー２１、搬送モーター２２、搬送ローラー２３、プラテン２４、排紙ローラー２５等を有する。給紙ローラー２１は、紙挿入口に挿入された用紙Ｓをプリンター１内に給紙するためのローラーである。搬送ローラー２３は、給紙ローラー２１によって給紙された用紙Ｓを印刷可能な領域まで搬送するローラーであり、搬送モーター２２によって駆動される。プラテン２４は、印刷中の用紙Ｓを支持する。排紙ローラー２５は、用紙Ｓをプリンター１の外部に排出するローラーであり、印刷可能な領域に対して搬送方向下流側に設けられている。
【００２３】
キャリッジユニット３０は、ヘッド４１を所定の方向（以下、「移動方向」と称する。）に移動（「走査」とも称する。）させるためのものである。キャリッジユニット３０は、キャリッジ３１、キャリッジモーター３２等を有する。キャリッジ３１は、移動方向に往復移動可能であり、キャリッジモーター３２によって駆動される。また、キャリッジ３１は、インクを収容するインクカートリッジを着脱可能に保持している。
【００２４】
ヘッドユニット４０は、用紙Ｓにインクを吐出するためのものである。ヘッドユニット４０は、複数のノズルを有するヘッド４１と、ヘッド制御部ＨＣとを備えている。ヘッド４１はキャリッジ３１に設けられているため、キャリッジ３１が移動方向に移動すると、ヘッド４１も移動方向に移動する。そして、ヘッド４１が移動方向に移動中にインクを断続的に吐出することにより、移動方向に沿ったドットライン（ラスタライン）が用紙Ｓに形成される。なお、ヘッドユニット４０の詳細については後述する。
【００２５】
検出器群５０には、リニア式エンコーダー５１、ロータリー式エンコーダー５２、紙検出センサー５３、光学センサー５４等が含まれる。リニア式エンコーダー５１は、キャリッジ３１の移動方向の位置を検出する。ロータリー式エンコーダー５２は、搬送ローラー２３の回転量を検出する。紙検出センサー５３は、給紙中の用紙Ｓの先端の位置を検出する。光学センサー５４は、キャリッジ３１に取付けられている発光部と受光部により、用紙Ｓの有無を検出する。そして、光学センサー５４は、キャリッジ３１によって移動しながら用紙Ｓの端部の位置を検出し、用紙Ｓの幅を検出することができる。また、光学センサー５４は、状況に応じて、用紙Ｓの先端（搬送方向下流側の端部であり、「上端」とも称する。）及び後端（搬送方向上流側の端部であり、「下端」とも称する。）も検出できる。
【００２６】
コントローラー６０は、プリンター１の制御を行うための制御ユニットである。コントローラー６０は、インターフェイス（Ｉ／Ｆ）部６１、ＣＰＵ６２、メモリー６３、ユニット制御回路６４、駆動信号生成回路６５等を有する。インターフェイス部６１は、外部装置であるコンピューター１１０とプリンター１との間でデータの送受信を行う。ＣＰＵ６２は、プリンター１全体の制御を行うための演算処理装置である。メモリー６３は、ＣＰＵ６２のプログラムを格納する領域や作業領域等を確保するためのものであり、ＲＡＭ、ＥＥＰＲＯＭ等の記憶素子を有する。ＣＰＵ６２は、メモリー６３に格納されているプログラムに従って、ユニット制御回路６４を介して各ユニットを制御する。
【００２７】
駆動信号生成回路６５は、ヘッド４１のピエゾ素子ＰＺＴを駆動させる駆動信号ＣＯＭを生成する。
【００２８】
フレキシブルケーブルＣＢＬは、コントローラー６０とヘッドユニット４０との間に設けられた可撓性を有するシート状の配線基板である。フレキシブルケーブルＣＢＬは、コントローラー６０からヘッドユニット４０に各種の信号を送信する伝送線を有している。コントローラー６０のユニット制御回路６４から、フレキシブルケーブルＣＢＬの伝送線を介してヘッド制御信号がヘッドユニット４０へ送信される。また、コントローラー６０の駆動信号生成回路６５から、フレキシブルケーブルＣＢＬの伝送線を介して、駆動信号ＣＯＭがヘッドユニット４０に送信される。なお、ヘッド制御信号及び駆動信号ＣＯＭの詳細については後述する。
【００２９】
＜ヘッドの構成＞
次に、ヘッド４１の構成について説明する。
図３は、ヘッド４１のノズル周辺の断面図である。ヘッド４１は、駆動ユニット４２、駆動ユニット４２を収納するためのケース４３、ケース４３に装着される流路ユニット４４等を備えている。
【００３０】
駆動ユニット４２は、複数のピエゾ素子ＰＺＴによって構成されるピエゾ素子群、このピエゾ素子群が固定される固定板４２３、各ピエゾ素子ＰＺＴに給電するためのフレキシブルケーブルＣＢＬ等を有している。各ピエゾ素子ＰＺＴは、所謂片持ち梁の状態で固定板４２３に取り付けられている。固定板４２３は、ピエゾ素子ＰＺＴからの反力を受け止め得る剛性を備えた板状部材である。フレキシブルケーブルＣＢＬは、固定板４２３とは反対側となる固定端部の側面でピエゾ素子ＰＺＴと電気的に接続されている。そして、このフレキシブルケーブルＣＢＬの表面には、ピエゾ素子ＰＺＴの駆動等を制御するための制御用ＩＣであるヘッド制御部ＨＣが実装されている。
【００３１】
ケース４３は、駆動ユニット４２を収納可能な収納空部４３１を有する直方体ブロック状の外形を有する。このケース４３の先端面には上記の流路ユニット４４が接合される。収納空部４３１は、駆動ユニット４２が丁度嵌合可能な大きさとなっている。また、ケース４３には、インク供給路４３２も形成されている。インク供給路４３２は、インクカートリッジに貯留されたインクをリザーバー４５３に供給するための供給路である。
【００３２】
流路ユニット４４は、流路形成基板４５、ノズルプレート４６、弾性板４７等を有し、流路形成基板４５がノズルプレート４６と弾性板４７に挟まれるようにそれぞれを積層して一体的に構成される。ノズルプレート４６は、ノズルが形成されたステンレス鋼製の薄いプレートである。
【００３３】
流路形成基板４５には、圧力室４５１及びインク供給口４５２となる空部が各ノズルに対応して複数形成される。リザーバー４５３は、インクカートリッジに貯留されたインクを各圧力室４５１に供給するための液体貯留室であり、インク供給口４５２を通じて対応する圧力室４５１の他端と連通している。そして、インクカートリッジからのインクは、インク供給路４３２を通って、リザーバー４５３内に導入されるようになっている。
【００３４】
駆動ユニット４２は、ピエゾ素子ＰＺＴの自由端部を流路ユニット４４側に向けた状態で収納空部４３１内に挿入され、この自由端部の先端面が対応する島部４７３に接着される。また、固定板４２３の背面が収納空部４３１を区画するケース４３の内壁面に接着される。この収納状態でフレキシブルケーブルＣＢＬを介してピエゾ素子ＰＺＴに駆動信号を供給すると、ピエゾ素子ＰＺＴは伸縮して圧力室４５１の容積を膨張・収縮させる。このような圧力室４５１の容積変化により、圧力室４５１内のインクには圧力変動が生じる。そして、このインク圧力の変動を利用することでノズルからインク滴を吐出させることができる。
【００３５】
図４は、ヘッド４１の下面のノズル配列を示す図である。ヘッド４１の下面にはインクを吐出する多数のノズルが設けられている。本実施形態のプリンター１は、シアン、マゼンタ、イエロー、及びブラックの染料インクと、ブラックの顔料インクとを吐出可能とする。そのため、図４に示すように、ヘッド４１の下面に、シアンの染料インクを吐出するシアンノズル列Ｃｄと、マゼンタの染料インクを吐出するマゼンタノズル列Ｍｄと、イエローの染料インクを吐出するイエローノズル列Ｙｄと、ブラックの染料インクを吐出する染料ブラックノズル列Ｋｄと、ブラックの顔料インクを吐出する顔料ブラックノズル列Ｋｐとが形成されている。
【００３６】
各ノズル列は、１８０個のノズル（＃１〜＃１８０）を有するノズル群によって構成されている。各ノズル列に属するノズルに対して搬送方向の下流側のノズルから順に小さい番号（＃１〜＃１８０）を付す。また、各ノズル列において、各ノズルは搬送方向に一定の間隔（１８０ｄｐｉ）で並んでいる。４色の染料インクノズル列（Ｃｄ，Ｍｄ，Ｙｄ，Ｋｄ）は搬送方向の位置が等しいが、これら４色の染料インクノズル列と顔料ブラックノズル列Ｋｐとは、搬送方向の位置がノズルピッチの半分（３６０ｄｐｉ）だけずれている。例えば、染料ブラックノズル列Ｋｄの最下流側のノズル＃１に対して、顔料ブラックノズル列Ｋｐの最下流側のノズル＃１は、半ノズルピッチだけ搬送方向の下流側に位置している。
【００３７】
本実施形態のプリンター１では、移動方向に沿って移動するヘッド４１からインクを断続的に吐出させ、用紙Ｓ上に移動方向に沿ったドット列（ラスターライン）を形成するドット形成処理と、用紙Ｓを搬送方向に搬送する搬送処理と、を交互に繰り返す。その結果、先のドット形成処理により形成されたドットの位置とは異なる位置にドットを形成することができ、用紙Ｓ上に２次元の画像を印刷することができる。
【００３８】
＜ヘッド制御部の詳細＞
次に、ヘッド制御部ＨＣの詳細について説明する。
図５は、ヘッド制御部ＨＣのブロック図である。本実施形態において、ヘッド制御部ＨＣはノズル列毎に設けられている。従って、プリンター１は、図４に示す、シアンノズル列Ｃｄ、マゼンタノズル列Ｍｄ、イエローノズル列Ｙｄ、染料ブラックノズル列Ｋｄ、及び顔料ブラックノズル列Ｋｐの各ノズル列用の５つのヘッド制御部ＨＣを備えている。各ヘッド制御部ＨＣは、第１シフトレジスター（ＳＲ）８１Ａ、第２シフトレジスター（ＳＲ）８１Ｂ、第１ラッチ回路８２Ａ、第２ラッチ回路８２Ｂ、デコーダー８３、制御ロジック８４、スイッチ８６等を備えている。そして、制御ロジック８４を除いた各部（即ち、第１シフトレジスター８１Ａ、第２シフトレジスター８１Ｂ、第１ラッチ回路８２Ａ、第２ラッチ回路８２Ｂ、デコーダー８３、及びスイッチ８６）は、それぞれピエゾ素子ＰＺＴ毎に設けられる。
【００３９】
ヘッド制御部ＨＣには、プリンター１側におけるコントローラー６０のユニット制御回路６４からフレキシブルケーブルＣＢＬを介して、ヘッド制御信号として、クロックＣＬＫ、ラッチ信号ＬＡＴ、チェンジ信号ＣＨ、画素データＳＩと設定データＳＰとを含む設定信号、及びモード信号ＭＤが入力される。また、ヘッド制御部ＨＣには、コントローラー６０の駆動信号生成回路６５からフレキシブルケーブルＣＢＬを介して、駆動信号ＣＯＭが入力される。なお、コントローラー６０から送信されるモード信号ＭＤについて、フレキシブルケーブルＣＢＬを介して直接入力するのではなく、ヘッド４１に搭載したメモリーＩＣを更に介して入力しても良い。
【００４０】
図６は、駆動信号ＣＯＭと各種信号の説明図である。図６に示す繰り返し周期である期間Ｔは、ノズルが１画素分移動する間の期間に対応する。例えば、印刷解像度が７２０ｄｐｉの場合、期間Ｔは、ノズルが用紙Ｓに対して１／７２０インチ移動するための期間に相当する。そして、印刷データに含まれる画素データＳＩに基づいて、期間Ｔに含まれる各区間の駆動パルスＰＳ１〜ＰＳ４をピエゾ素子ＰＺＴに印加することにより、１つの画素内に大きさの異なるインク滴が吐出され、複数階調を表現可能としている。
【００４１】
駆動信号ＣＯＭは、繰り返し周期Ｔにおける期間Ｔ１で生成される第１区間信号ＳＳ１と、期間Ｔ２で生成される第２区間信号ＳＳ２と、期間Ｔ３で生成される第３区間信号ＳＳ３と、期間Ｔ４で生成される第４区間信号ＳＳ４とを有する。第１区間信号ＳＳ１は駆動パルスＰＳ１を有している。また、第２区間信号ＳＳ２は駆動パルスＰＳ２を、第３区間信号ＳＳ３は駆動パルスＰＳ３を、第４区間信号ＳＳ４は駆動パルスＰＳ４をそれぞれ有している。なお、駆動パルスＰＳ１、駆動パルスＰＳ２、及び駆動パルスＰＳ３は、大ドットの形成時にピエゾ素子ＰＺＴへ印加されるものであり、それぞれが同じ波形をしている。また、駆動パルスＰＳ１と駆動パルスＰＳ２とは、中ドットの形成時にピエゾ素子ＰＺＴへ印加されるものである。また、駆動パルスＰＳ１は、小ドットの形成時にピエゾ素子ＰＺＴへ印加されるものである。また、駆動パルスＰＳ４は、ピエゾ素子ＰＺＴからインクを吐出しない程度に微振動させるときにピエゾ素子ＰＺＴへ印加されるものである。
【００４２】
繰り返し周期Ｔ（ＬＡＴ−ＬＡＴ間）の間に、クロックＣＬＫに同期して設定信号がヘッド制御部ＨＣに入力されると、設定信号のうちの上位ビットデータが第１シフトレジスター８１Ａにそれぞれセットされ、下位ビットデータが第２シフトレジスター８１Ｂにそれぞれセットされる。また、設定データＳＰが制御ロジック８４のシフトレジスター群（不図示）にセットされる。なお、各ノズルにそれぞれ対応する２ビットの画素データの上位ビットは第１シフトレジスター８１Ａにセットされ、２ビットの画素データの下位ビットは第２シフトレジスター８１Ｂにセットされる。
【００４３】
そして、ラッチ信号ＬＡＴのパルスに応じて、上位ビットデータが第１ラッチ回路８２Ａにラッチされ、下位ビットデータが第２ラッチ回路８２Ｂにラッチされる。これにより、各ノズル（各ピエゾ素子ＰＺＴ）にそれぞれ対応する２ビットの画素データの上位ビットは第１ラッチ回路８２Ａにラッチされ、２ビットの画素データの下位ビットは第２ラッチ回路８２Ｂにラッチされる。
【００４４】
図７は、設定信号の構成を示す説明図である。図７（Ａ）は、画素データＳＩと設定データＳＰとを含む設定信号の説明図である。図７（Ｂ）は、制御ロジック８４の機能の一部の説明図である。図７（Ａ）に示すように、設定データＳＰは、１６ビットデータから構成される。そして、制御ロジック８４は、１６ビットの設定データＳＰのうちの所定の４ビットデータ（データＰ００，データＰ１０，データＰ２０，データＰ３０）とチェンジ信号ＣＨとに基づいて、波形選択信号ｑ０を生成する。また、同様に、１６ビットの設定データＳＰのうちの所定の４ビットデータとチェンジ信号ＣＨとに基づいて、波形選択信号ｑ１〜ｑ３を生成する。
【００４５】
図７（Ｂ）の例では、１６ビットの設定データＳＰのうち、データＰ０１、データＰ０２、データＰ０３、データＰ１２、データＰ１３、データＰ２３、及びデータＰ３０は［１］であり、他のデータは［０］である。このため、波形選択信号ｑ０のための４ビットデータ（データＰ００，データＰ１０，データＰ２０，データＰ３０）は［０００１］になり、この結果、波形選択信号ｑ０は、第１区間Ｔ１〜第３区間Ｔ３においてＬレベルになり、第４区間Ｔ４においてＨレベルになる。また、波形選択信号ｑ１のための４ビットデータ（データＰ０１，データＰ１１，データＰ２１，データＰ３１）は［１０００］になり、この結果、波形選択信号ｑ１は、第１区間Ｔ１においてＨレベルになり、第２区間Ｔ２〜第４区間Ｔ４においてＬレベルになる。また、波形選択信号ｑ２，ｑ３も図７（Ｂ）に示す通りの信号になる。
【００４６】
図５に戻って、モード信号ＭＤは、本実施形態では、イエローノズル列Ｙｄ及び顔料ブラックノズル列Ｋｐの２つのヘッド制御部ＨＣのみに入力される信号であり、他のシアンノズル列Ｃｄ、マゼンタノズル列Ｍｄ、及び染料ブラックノズル列Ｋｄのヘッド制御部ＨＣには入力されない信号である。このモード信号ＭＤは、ユーザーが設定したプリンター１の印刷モードに応じて決定され、ＨレベルとＬレベルとの１ビットで構成されている。モード信号ＭＤがＨレベルの場合は、入力された画素データＳＩを有効として、通常通りピエゾ素子ＰＺＴを駆動する。一方、モード信号ＭＤがＬレベルの場合は、入力された画素データＳＩを無効として、ノズル列に属する全てのピエゾ素子ＰＺＴに微振動を与えるように駆動する。なお、印刷モードとモード信号ＭＤの詳細については後述する。
【００４７】
デコーダー８３は、第１ラッチ回路８２Ａ及び第２ラッチ回路８２Ｂにラッチされた２ビットの画素データＳＩと、モード信号ＭＤとに応じて、波形選択信号ｑ０〜ｑ３から１つを選択する。具体的には、モード信号ＭＤがＨレベルの場合は、画素データが［００］のとき（上位ビットが［０］で下位ビットが［０］）に波形選択信号ｑ０が選択され、画素データが［０１］のときに波形選択信号ｑ１が選択され、画素データが［１０］のときに波形選択信号ｑ２が選択され、画素データが［１１］のときに波形選択信号ｑ３が選択される。一方、モード信号ＭＤがＬレベルの場合は、画素データＳＩの内容とは無関係に、ノズル列に属する全てのピエゾ素子ＰＺＴについて波形選択信号ｑ０が選択される。選択された波形選択信号は、スイッチ信号ＳＷとしてデコーダー８３から出力される。
【００４８】
スイッチ８６には駆動信号ＣＯＭ及びスイッチ信号ＳＷが入力される。スイッチ信号がＨレベルのとき、スイッチ８６はＯＮ状態になり、駆動信号ＣＯＭがピエゾ素子ＰＺＴへ印加される。一方、スイッチ信号ＳＷがＬレベルのとき、スイッチ８６はＯＦＦ状態になり、駆動信号ＣＯＭはピエゾ素子ＰＺＴへ印加されない。
【００４９】
具体的には、画素データＳＩが［００］又はモード信号ＭＤがＬレベルの場合、スイッチ制御信号ＳＷとして選択信号ｑ０が出力される。これにより、繰り返し周期Ｔにおいてスイッチ８６がＯＮ／ＯＦＦされ、駆動信号ＣＯＭの第４区間信号ＳＳ４がピエゾ素子ＰＺＴへ印加され、ピエゾ素子ＰＺＴは駆動パルスＰＳ４により駆動される。この駆動パルスＰＳ４に応じてピエゾ素子ＰＺＴが駆動すると、インクが吐出されない程度の圧力変動がインクに生じて、インクメニスカスが微振動する。
【００５０】
画素データＳＩが［０１］且つモード信号ＭＤがＨレベルの場合、スイッチ８６が波形選択信号ｑ１によりＯＮ／ＯＦＦされ、駆動信号ＣＯＭの第１区間信号ＳＳ１がピエゾ素子ＰＺＴへ印加され、ピエゾ素子ＰＺＴは駆動パルスＰＳ１により駆動される。この駆動パルスＰＳ３に応じてピエゾ素子ＰＺＴが駆動すると、用紙Ｓに小ドットが形成される。
【００５１】
画素データＳＩが［１０］且つモード信号ＭＤがＨレベルの場合、スイッチ８６が波形選択信号ｑ２によりＯＮ／ＯＦＦされ、駆動信号ＣＯＭの第１区間信号ＳＳ１と第２区間信号ＳＳ２がピエゾ素子ＰＺＴへ印加され、ピエゾ素子ＰＺＴが駆動パルスＰＳ１、駆動パルスＰＳ２により駆動される。この駆動パルスＰＳ１と駆動パルスＰＳ２に応じてピエゾ素子ＰＺＴが駆動すると、用紙Ｓに中ドットが形成される。
【００５２】
画素データＳＩが［１１］且つモード信号ＭＤがＨレベルの場合、スイッチ８６が波形選択信号ｑ３によりＯＮ／ＯＦＦされ、駆動信号ＣＯＭの第１区間信号ＳＳ１、第２区間信号ＳＳ２及び第３区間信号ＳＳ３がピエゾ素子ＰＺＴへ印加され、ピエゾ素子ＰＺＴが駆動パルスＰＳ１、駆動パルスＰＳ２及び駆動パルスＰＳ３により駆動される。これらの駆動パルスＰＳ１、駆動パルスＰＳ２及び駆動パルスＰＳ３に応じてピエゾ素子ＰＺＴが駆動すると、用紙Ｓに大ドットが形成される。
【００５３】
＜設定信号の伝送線の配線＞
次に、コントローラー６０からヘッドユニット４０へ送信する設定信号の伝送線の配線について説明する。
図８は、フレキシブルケーブルＣＢＬに配線された設定信号の伝送線の説明図である。各ノズル列用の設定信号は、各ノズル列用の画素データＳＩと設定データＳＰとを含む。本実施形態では、コントローラー６０は、シアンノズル列Ｃｄ用の設定信号ＳＳ＿Ｃｄと、マゼンタノズル列Ｍｄ用の設定信号ＳＳ＿Ｍｄと、イエローノズル列Ｙｄ用の設定信号ＳＳ＿Ｙｄと、顔料ブラックノズル列Ｋｐ用の設定信号ＳＳ＿Ｋｐと、染料ブラックノズル列Ｋｄ用の設定信号ＳＳ＿Ｋｄとの５種類の設定信号を送信する構成となっている。
一方、ヘッドユニット４０は、シアンノズル列Ｃｄ用のヘッド制御部ＨＣ＿Ｃｄと、マゼンタノズル列Ｍｄ用のヘッド制御部ＨＣ＿Ｍｄと、イエローノズル列Ｙｄ用のヘッド制御部ＨＣ＿Ｙｄと、染料ブラックノズル列Ｋｄ用のヘッド制御部ＨＣ＿Ｋｄと、顔料ブラックノズル列Ｋｐ用のヘッド制御部ＨＣ＿Ｋｐとの５種類のヘッド制御部ＨＣを添えている。
【００５４】
設定信号ＳＳ＿Ｃｄは、伝送線Ｌ１を介してヘッド制御部ＨＣ＿Ｃｄに入力する。設定信号ＳＳ＿Ｍｄは、伝送線Ｌ２を介してヘッド制御部ＨＣ＿Ｍｄに入力する。設定信号ＳＳ＿Ｙｄ及び設定信号ＳＳ＿Ｋｐの両方は、伝送線Ｌ３と伝送線Ｌ３の延長上の伝送線Ｌ３１とを介してヘッド制御部ＨＣ＿Ｙｄに入力すると共に、伝送線Ｌ３から分岐した伝送線Ｌ３２を介してヘッド制御部ＨＣ＿Ｋｐにも入力する。設定信号ＳＳ＿Ｋｄは、伝送線Ｌ５を介してヘッド制御部ＨＣ＿Ｋｄに入力する。
また、イエローノズル列Ｙｄ用の設定信号ＳＳ＿Ｙｄ及び顔料ブラックノズル列Ｋｐ用の設定信号ＳＳ＿Ｋｐの両方が入力するヘッド制御部ＨＣ＿Ｙｄには、伝送線Ｌ４を介してヘッド制御部ＨＣ＿Ｙｄ用のモード信号ＭＤ１が入力する。同じく、設定信号ＳＳ＿Ｙｄ及び設定信号ＳＳ＿Ｋｐの両方が入力するヘッド制御部ＨＣ＿Ｋｐには、伝送線Ｌ６を介してヘッド制御部ＨＣ＿Ｋｐ用のモード信号ＭＤ２が入力する。
【００５５】
ここで、モード信号ＭＤ１は、設定信号ＳＳ＿Ｙｄ及び設定信号ＳＳ＿Ｋｐの両方がヘッド制御部ＨＣ＿Ｙｄに入力したときに、イエローノズル列Ｙｄ用の画素データＳＩを有効として、顔料ブラックノズル列Ｋｐ用の画素データＳＩを無効にするための信号である。従って、コントローラー６０では、設定信号ＳＳ＿Ｙｄを送信する際にはモード信号ＭＤ１をＨレベルとし、設定信号ＳＳ＿Ｋｐを送信する際にはモード信号ＭＤ１をＬレベルとする。
一方、モード信号ＭＤ２は、設定信号ＳＳ＿Ｙｄ及び設定信号ＳＳ＿Ｋｐの両方がヘッド制御部ＨＣ＿Ｋｐに入力したときに、イエローノズル列Ｙｄ用の画素データＳＩを無効として、顔料ブラックノズル列Ｋｐ用の画素データＳＩを有効にするための信号である。従って、コントローラー６０では、設定信号ＳＳ＿Ｙｄを送信する際にはモード信号ＭＤ２をＬレベルとし、設定信号ＳＳ＿Ｋｐを送信する際にはモード信号ＭＤ２をＨレベルとする。
【００５６】
なお、本実施形態では、イエローノズル列Ｙｄ用の画素データＳＩが第２の画素データに相当し、顔料ブラックノズル列Ｋｐ用の画素データＳＩが第１の画素データに相当する。また、イエローノズル列Ｙｄ用のヘッド制御部ＨＣ＿Ｙｄが第２のヘッド制御部に相当し、顔料ブラックノズル列Ｋｐ用のヘッド制御部ＨＣ＿Ｋｐが第１のヘッド制御部に相当する。
【００５７】
＜印刷モード＞
次に、ユーザーが設定するプリンター１の印刷モードと使用するノズル列とについて説明する。
図９は、印刷モードと使用するインク種類との対応を示す表である。図９では各印刷モードにおいて使用するインク種類を丸の記号で示している。また、各インク種類の欄における括弧内には対象となるヘッド制御部ＨＣの種類を示している。図９に示すように、印刷モードが「カラー」の場合、シアン染料インク、マゼンタ染料インク、イエロー染料インク、及びブラック染料インクによる画像を印刷する。即ち、シアンノズル列Ｃｄのヘッド制御部ＨＣ＿Ｃｄ、マゼンタノズル列Ｍｄのヘッド制御部ＨＣ＿Ｍｄ、イエローノズル列Ｙｄのヘッド制御部ＨＣ＿Ｙｄ、染料ブラックノズル列Ｋｄのヘッド制御部ＨＣ＿Ｋｄが使用対象となる。
一方、印刷モードが「モノクロ（きれい）」の場合、ブラック顔料インクのみによる画像を印刷する。即ち、顔料ブラックノズル列Ｋｐのヘッド制御部ＨＣ＿Ｋｐのみが使用対象となる。また、印刷モードが「モノクロ（はやい）」の場合、ブラック染料インクとブラック顔料インクとによる画像を印刷する。即ち、染料ブラックノズル列Ｋｄのヘッド制御部ＨＣ＿Ｋｄと顔料ブラックノズル列Ｋｐのヘッド制御部ＨＣ＿Ｋｐとが使用対象となる。
この結果、シアンノズル列Ｃｄ、マゼンタノズル列Ｍｄ、及びイエローノズル列Ｙｄと、顔料ブラックノズル列Ｋｐとは、各印刷モードにおいて同時に使用されないことになる。
【００５８】
このように、本実施形態のプリンター１は、ブラックに関して２種類のインク（染料インク，顔料インク）を吐出可能としている。染料インクは、光沢感のある画像を印刷できるが、滲み易いという性質を有する。一方、顔料インクは、滲み難く、ブラックの色味を強く（濃く）表現できるが、用紙Ｓの表面に色材が留まるため画像に光沢感が出にくいという性質を有する。なお、プリンター１が使用する染料ブラックインクと顔料ブラックインクとは、同じ黒色であっても色相が相違する。ここでは、染料ブラックインクはシアン側に偏った色相（黒色）であり、顔料ブラックインクはマゼンタ側に偏った色相（黒色）であるとする。
【００５９】
このため、プリンター１は、ブラックのテキスト画像を印刷する場合（普通紙に画像を印刷する場合）には顔料ブラックインクＫｐを使用する。そうすることで、滲みによる文字のつぶれを防止し、ブラックの濃度が濃い、読み易いテキスト文書を印刷することができる。一方、写真などのカラー画像を印刷する場合（光沢紙に画像を印刷する場合）には、プリンター１は染料ブラックインクＫｄ（及びカラーの染料インクＣｄＭｄＹｄ）を使用する。そうすることで、光沢感のある画像を印刷することができる。
【００６０】
また、テキスト画像を印刷する普通紙には、顔料インクによる画像だけでなく、染料インクによる画像も印刷することができる。一方、カラー画像を印刷する光沢紙に顔料インクによる画像を印刷すると、顔料インクの色材が媒体表面に多く留まるため、画像表面に凹凸が生じ、光沢感のある画像を印刷することができなくなってしまう。つまり、光沢紙に画像を印刷するインクとして顔料インクは適さない。
【００６１】
そこで、プリンター１では、普通紙にモノクロ印刷を実施する場合（モノクロのテキスト画像を印刷する場合）に、「モノクロ（きれい）」と「モノクロ（はやい）」との印刷モードをユーザーによって設定可能としている。そして、ユーザーによって設定された印刷モードに応じて使用するブラックインクを変更する。例えば「モノクロ（きれい）」の印刷モードが設定された場合には、顔料ブラックノズル列Ｋｐのみを使用して画像を印刷する。そうすることで、滲みのないブラックの濃度の濃いテキスト文書を印刷することができる。
【００６２】
一方、「モノクロ（はやい）」の印刷モードが設定された場合には、顔料ブラックインク及び染料ブラックインクの両方のインクを使用して画像を印刷する。そうすることで、顔料ブラックノズル列Ｋｐと染料ブラックノズル列Ｋｄとの２つのノズル列によって画像を印刷することができるため、画像を印刷するノズル数が増え、印刷時間を短縮することができる。図４に示すヘッド４１では、顔料ブラックノズル列Ｋｐと染料ブラックノズル列Ｋｄの搬送方向の位置が半ノズルピッチ分ずれているため、高解像度の画像を速く印刷することができる。
【００６３】
なお、普通紙にモノクロ印刷を実施する場合に限られず、普通紙にブラックを含む画像を印刷する場合には、印刷モードに応じて、顔料ブラックノズル列Ｋｐのみを使用するのか、それとも、顔料及び染料ブラックノズル列Ｋｐ，Ｋｄの両方を使用するのか、を設定できるようにしても良い。また、普通紙に画像を印刷する場合に、染料インク及び顔料インクの両方を使用するとしているが、これに限られない。染料インク及び顔料インクの両方を使用可能な媒体に対しては、普通紙と同様に両方のインクを同時に使用して画像を印刷しても良い。
【００６４】
上述したように、本実施形態では、上記した各印刷モードにおいて、シアンノズル列Ｃｄ、マゼンタノズル列Ｍｄ、及びイエローノズル列Ｙｄのカラーノズル列と、顔料ブラックノズル列Ｋｐとの両方が同時に使用されることがない。このため、図８に示すように、画素データＳＩと設定データＳＰとを含む設定信号の伝送線について、ヘッド制御部ＨＣ＿Ｙｄ（イエローノズル列Ｙｄ用）への伝送線と、ヘッド制御部ＨＣ＿Ｋｐ（顔料ブラックノズル列Ｋｐ用）への伝送線とを、伝送線Ｌ３として共用することができる。また、ヘッド制御部ＨＣ＿Ｙｄ及びヘッド制御部ＨＣ＿Ｋｐのそれぞれでは、コントローラー６０から送信されるモード信号ＭＤに基づいて、伝送線Ｌ３を介して送信されるイエローノズル列Ｙｄ用及び顔料ブラックノズル列Ｋｐ用の画素データＳＩの内、必要とする画素データＳＩのみを利用して適正に印刷することができる。これにより、例えばブラックに関して染料インク及び顔料インクの両方を吐出可能とするためにブラックのノズル列が増えるような場合でも、カラーインクのノズル列とブラックインクのノズル列とで伝送線を共用することで、設定信号の伝送線の数が増えるのを抑制することができる。
【００６５】
（第２実施形態）
以下、第２実施形態に係るプリンターについて、図面を参照して説明する。
第２実施形態に係るプリンターは、第１実施形態に係るプリンター１と同様の構成をとるが、コントローラー６０からヘッドユニット４０に送信する設定信号が異なる。
【００６６】
図１０は、第２実施形態におけるフレキシブルケーブルＣＢＬに配線された設定信号の伝送線の説明図である。図１１は、第２実施形態における設定信号の説明図である。図１０に示すように、第２実施形態では、コントローラー６０は、シアンノズル列Ｃｄ用に４分割された設定信号ＳＳ＿Ｃｄ１〜４と、マゼンタノズル列Ｍｄ用に４分割された設定信号ＳＳ＿Ｍｄ１〜４と、イエローノズル列Ｙｄ用に４分割された設定信号ＳＳ＿Ｙｄ１〜４と、顔料ブラックノズル列Ｋｐ用に４分割された設定信号ＳＳ＿Ｋｐ１〜４と、染料ブラックノズル列Ｋｄ用に４分割された設定信号ＳＳ＿Ｋｄ１〜４とを送信する構成となっている。
【００６７】
設定信号ＳＳ＿Ｃｄ１〜４は、合計４本の各伝送線Ｌ１を介してヘッド制御部ＨＣ＿Ｃｄに入力する。設定信号ＳＳ＿Ｍｄ１〜４は、合計４本の各伝送線Ｌ２を介してヘッド制御部ＨＣ＿Ｍｄに入力する。設定信号ＳＳ＿Ｙｄ１〜４及び設定信号ＳＳ＿Ｋｐ１〜４は、合計４本の各伝送線Ｌ３と各伝送線Ｌ３の延長上の各伝送線Ｌ３１とを介してヘッド制御部ＨＣ＿Ｙｄに入力すると共に、各伝送線Ｌ３から分岐した各伝送線Ｌ３２を介してヘッド制御部ＨＣ＿Ｋｐにも入力する。設定信号ＳＳ＿Ｋｄ１〜４は、合計４本の各伝送線Ｌ５を介してヘッド制御部ＨＣ＿Ｋｄに入力する。また、ヘッド制御部ＨＣ＿Ｙｄには、伝送線Ｌ４を介してヘッド制御部ＨＣ＿Ｙｄ用のモード信号ＭＤ１が入力する。ヘッド制御部ＨＣ＿Ｋｐには、伝送線Ｌ６を介してヘッド制御部ＨＣ＿Ｋｐ用のモード信号ＭＤ２が入力する。
【００６８】
各ノズル列に対して送信される４分割された設定信号は、図１１に示すように、それぞれが画素データＳＩと設定データＳＰとを含む構成となっている。例えば、設定信号ＳＳ＿Ｃｄ１は画素データＳＩ１と設定データＳＰ１とを含み、設定信号ＳＳ＿Ｃｄ２は画素データＳＩ２と設定データＳＰ２とを含み、設定信号ＳＳ＿Ｃｄ３は画素データＳＩ３と設定データＳＰ３とを含み、設定信号ＳＳ＿Ｃｄ４は画素データＳＩ４と設定データＳＰ４とを含んでいる。他の設定信号ＳＳ＿Ｍｄ１〜４、設定信号ＳＳ＿Ｙｄ１〜４、設定信号ＳＳ＿Ｋｐ１〜４、設定信号ＳＳ＿Ｋｄ１〜４についても同様の構成となっている。
【００６９】
上述したように、本実施形態では、コントローラー６０から各ノズル列への設定信号が４分割されて送信される。そして、４分割された設定信号のそれぞれは、合計４本の各伝送線を介してヘッド制御部ＨＣに入力する。このため、図１０に示すように、ヘッド制御部ＨＣ＿Ｙｄ（イエローノズル列Ｙｄ用）への各伝送線と、ヘッド制御部ＨＣ＿Ｋｐ（顔料ブラックノズル列Ｋｐ用）への各伝送線とを、合計４本の伝送線Ｌ３として共用することができる。これにより、各ノズル列への設定信号を分割することによって設定信号の伝送線の数が大きく増えるような場合に、伝送線を共用することで、設定信号の伝送線の数を抑制する効果を更に高めることができる。
【００７０】
（変形例１）
上述の実施形態では、イエローノズル列Ｙｄへの伝送線と、顔料ブラックノズル列Ｋｐへの伝送線とを共用しているがこれに限られない。例えば、例えば、シアンノズル列Ｃｄ又はマゼンタノズル列Ｍｄへの伝送線と、顔料ブラックノズル列Ｋｐへの伝送線とを共用するようにしても良い。つまり、プリンターにおいて、同時に使用されることがないノズル列について伝送線を共用するようにしても良い。
【００７１】
（変形例２）
上述の実施形態では、ブラックインクに関して染料インクと顔料インクとを吐出するプリンターを例に挙げているがこれに限られない。例えば、他のシアン、マゼンタ、イエローの色に関しても染料インクと顔料インクとの両方を同時に使用するプリンターであっても良い。
【００７２】
（変形例３）
上述の実施形態では、印刷装置の一例としてインクジェットプリンターが説明されている。しかし、印刷装置はインクジェットプリンターに限られるものではなく、インク以外の液体（液体以外にも、機能材料の粒子が分散されている液状体、ジェルのような液状体も含む）や液体以外の流体（流体として吐出できる固体、例えば粉体）を吐出する印刷装置にも適用可能である。例えば、液晶ディスプレイ、ＥＬディスプレイ及び面発光ディスプレイの製造などに用いられる液状の色剤や電極材などを吐出する印刷装置や、バイオチップ製造に用いられる液状の生体有機物を吐出する印刷装置に、上述の実施形態を適用しても良い。
【００７３】
（変形例４）
上述の実施形態のプリンターは、ヘッドが移動方向に移動するドット形成動作（パス）と、用紙を搬送方向に搬送する搬送動作とを交互に繰り返すプリンター（いわゆるシリアルプリンター）であった。しかし、プリンターの種類は、これに限られるものではない。例えば、ヘッドを固定して、ヘッドと対向させて用紙を搬送させながらヘッドからインクを吐出させて印刷を行うプリンター（所謂ラインプリンター）であっても良い。
【００７４】
（変形例５）
上述の実施形態は、プリンターの実施形態だったので、インクをノズルから吐出しているが、このインクは水性でも良いし、油性でも良い。また、ノズルから吐出する流体は、インクに限られるものではない。例えば、金属材料、有機材料（特に高分子材料）、磁性材料、導電性材料、配線材料、成膜材料、電子インク、加工液、遺伝子溶液などを含む液体（水も含む）をノズルから吐出しても良い。
また、上述の実施形態では高粘度インクを用いていたが高粘度インク以外のインクであっても良い。ただし、高粘度インクを用いる場合に本実施形態を適用するとより効果的である。
【符号の説明】
【００７５】
２０…搬送ユニット、２１…給紙ローラー、２２…搬送モーター、２３…搬送ローラー、２４…プラテン、２５…排紙ローラー、３０…キャリッジユニット、３１…キャリッジ、３２…キャリッジモーター、４０…ヘッドユニット、４１…ヘッド、４２…駆動ユニット、４３…ケース、４４…流路ユニット、４５…流路形成基板、４６…ノズルプレート、４７…弾性板、５０…検出器群、５１…リニア式エンコーダー、５２…ロータリー式エンコーダー、５３…紙検出センサー、５４…光学センサー、６０…コントローラー、６１…インターフェイス部、６２…ＣＰＵ、６３…メモリー、６４…ユニット制御回路、６５…駆動信号生成回路、８１Ａ…第１シフトレジスター、８１Ｂ…第２シフトレジスター、８２Ａ…第１ラッチ回路、８２Ｂ…第２ラッチ回路、８３…デコーダー、８４…制御ロジック、８６…スイッチ、１１０…コンピューター、４２３…固定板、４３１…収納空部、４３２…インク供給路、４５１…圧力室、４５２…インク供給口、４５３…リザーバー、４７３…島部、ＣＯＭ…駆動信号、Ｌ１〜Ｌ６，Ｌ３１，Ｌ３２…伝送線、ＭＤ…モード信号、ＳＩ…画素データ、ＰＳ１〜ＰＳ４…駆動パルス、ｑ０〜ｑ３…波形選択信号、ＳＰ…設定データ、ＳＳ１〜ＳＳ４…第１区間信号〜第４区間信号、ＳＳ＿Ｃｄ，ＳＳ＿Ｍｄ，ＳＳ＿Ｙｄ，ＳＳ＿Ｋｄ，ＳＳ＿Ｋｐ…設定信号。
【図１】
2013154572.tif 000003
【図２】
2013154572.tif 000004
【図３】
2013154572.tif 000005
【図４】
2013154572.tif 000006
【図５】
2013154572.tif 000007
【図６】
2013154572.tif 000008
【図７】
2013154572.tif 000009
【図８】
2013154572.tif 000010
【図９】
2013154572.tif 000011
【図１０】
2013154572.tif 000012
【図１１】
2013154572.tif 000013